(57)【特許請求の範囲】
【請求項１】
送電線鉄塔側に設けられるアース側ヨーク及び送電線側に設けられるライン側ヨーク間に２連のがいし連を所定の間隔を保って平行に設けて構成される２連耐張装置において、
前記アース側ヨークにおける前記２連のがいし連の取付位置及び前記送電線鉄塔への取付位置は、それら２連のがいし連の取付位置間の距離をＡとし、それら２連のがいし連の取付位置を結ぶ直線からその結ぶ直線の垂直２等分線上に位置する前記送電線鉄塔への取付位置までの距離をＪ1 としたときに、ＡとＪ1が次の関係式
１＜Ｊ1 ／Ａ≦２
を満たすように設定し、
前記ライン側ヨークにおける前記２連のがいし連の取付位置及び前記送電線への取付位置は、それら２連のがいし連の取付位置間の距離をＡとし、それら２連のがいし連の取付位置を結ぶ直線からその結ぶ直線の垂直２等分線上に位置するその送電線への取付位置までの距離をＪ2 としたときに、ＡとＪ2 が次の関係式
０．４≦Ｊ2 ／Ａ≦１．０
を満たすように設定したことを特徴とする２連耐張装置。
【発明の詳細な説明】
【０００１】
【発明の属する技術分野】
本発明は、２連耐張装置に係り、特に、２つのがいし連のうちの一方が断連したときの衝撃を緩和できるようにしたものに関する。
【０００２】
【従来の技術】
従来、この種の２連耐張装置は、送電線鉄塔側のアース側ヨークと送電線側のライン側ヨークとの間に、所定長さの２つのがいし連を所定の間隔を保って平行に設けられている。そして、アース側ヨークの形状は、そのヨークの２つのがいし連に対する取付位置と、その取付位置を結ぶ直線の垂直２等分線上に位置する送電線鉄塔側への取付位置とによって決められ、ライン側ヨークの形状は、そのヨークの２つのがいし連に対する取付位置と、その取付位置を結ぶ直線の垂直２等分線上に位置する送電線への取付位置とによって決められている。
【０００３】
本発明の実施の形態の説明で用いる図１（ａ）に示されるアース側ヨークＹ1を基にさ らに説明すると、ａ1 は２連のがいし連イ，ロの内の一方のがいし連イの取付位置であり、ａ2 は、他方のがいし連ロの取付位置である。また、ａ3 は、アース側ヨークＹ1 を図示しない送電線鉄塔に取付けるための取付位置であって、上記取付け位置ａ1 ，ａ2 を結ぶ直線の垂直２等分線上に位置している。
【０００４】
アース側ヨークＹ1 の形状は、上述の各取付け位置ａ1 〜ａ3 を結ぶ直線によって所定の三角形状の大きさに決められる。そして、２連のがいし連イ，ロの取付位置ａ1 ，ａ2 間の距離、すなわち、２連のがいし連イ，ロの間隔Ａと、それら取付け位置ａ1 ，ａ2 を結ぶ直線からその垂直２等分線上における送電線鉄塔側への取付位置ａ3 までの距離Ｊ1 は、次に示される関係式を満たすように設定されている（例えば、本出願人に係る特公平６−３６３３２号。）。
０．６≦Ｊ1 ／Ａ≦１．０
この関係式は、２連のがいし連イ，ロの内の一方が、例えば、雷によって断連したときに他方のがいし連に与える衝撃荷重を緩和できる条件を定めるものである。
【０００５】
【発明が解決しようとする課題】
ところで、近年、送電線に伴う土地利用の補償費等の費用低減を図るために、送電線鉄塔を小型化する傾向にあり、このため送電線鉄塔の高さも低くなる傾向にある。送電線鉄塔の高さが低くなると、送電線と地面との絶縁距離を所定以上に確保するために、送電線の弛度（送電線鉄塔間の送電線の弛み具合）を小さくする傾向にある。送電線の弛度が小さくなると、当然に２連耐張装置に加わる張力が大きくなる。したがって、このような高張力においても、一方のがいし連が断連したときに、十分に衝撃を緩和できる２連耐張装置の出現が待たれている。
【０００６】
そこで、本発明は、上記要望に応えるためになされたものであって、２連のうちの一方のがいし連が断連したときに、十分に衝撃を緩和することのできる２連耐張装置を提供することにある。
【０００７】
【課題を解決するための手段】
本発明は、上記目的を達成するために、送電線鉄塔側に設けられるアース側ヨーク及び送電線側に設けられるライン側ヨーク間に２連のがいし連を所定の間隔を保って平行にがいし連を設けて構成される２連耐張装置において、
前記アース側ヨークにおける前記２連のがいし連の取付位置及び前記送電線鉄塔への取付位置は、それら２連のがいし連の取付位置間の距離をＡとし、それら２連のがいし連の取付位置を結ぶ直線からその結ぶ直線の垂直２等分線上に位置する前記送電線鉄塔への取付位置までの距離をＪ1 としたときに、ＡとＪ1 が次の関係式
１＜Ｊ1 ／Ａ≦２
を満たすように設定し、
前記ライン側ヨークにおける前記２連のがいし連の取付位置及び前記送電線への取付位置は、それら２連のがいし連の取付位置間の距離をＡとし、それら２連のがいし連の取付位置を結ぶ直線からその結ぶ直線の垂直２等分線上に位置するその送電線への取付位置までの距離をＪ2 としたときに、ＡとＪ2 が次の関係式
０．４≦Ｊ2 ／Ａ≦１．０
を満たすように設定したこと、を特徴とする。
【０００８】
【発明の実施の形態】
以下、本発明の実施の形態を図面に基づいて説明する。図１（ａ）は、一実施の形態に２連耐張装置の平面図である。図中、Ｙ1 は、図示しない送電線鉄塔側に設けられるアース側ヨークであって、三角形状の板材（鋼材）で作られている。また、Ｙ2 は、送電線Ｌ1 〜Ｌ4 側に設けられるライン側ヨークであって、十字形状の鋳物で作られている。なお、図示の例では、送電線は３導体として示されているが、４導体等であってもよい。
【０００９】
図中、イ，ロは所定の長さを有する２連のがいし連であって、上記アース側ヨークＹ1 及びライン側ヨークＹ2 間に所定の間隔（本発明の距離Ａに相当している。）を保って平行に設けられている。
【００１０】
アース側ヨークＹ1 に設けられているａ1 ，ａ2 は、上記２連のがいし連イ，ロを取付けるための取付孔（「２連のがいし連の取付位置」に相当する。）であり、ａ3 は、アース側ヨークＹ1 を図示しない送電線鉄塔に取付けるための取付孔（「送電線鉄塔への取付位置」に相当する。）である。ａ3 は、２連のがいし連イ，ロの取付孔ａ1 ，ａ2 を結ぶ直線の垂直２等分線上に位置している。そして、これら３個の取付孔ａ1 〜ａ3 の位置関係は、２連のがいし連イ，ロの取付孔ａ1 ，ａ2 間の距離をＡとし、それら取付孔ａ1 ，ａ2 を結ぶ直線からその結ぶ直線の垂直２等分線上に位置する取付孔ａ3 までの距離をＪ1 としたときに、ＡとＪ1が関係式、１＜Ｊ1 ／Ａ≦２を満たすように設定されている。
【００１１】
ライン側ヨークＹ2 に設けられているｂ1 ，ｂ2 は、上記２連のがいし連イ，ロをそれぞれ取付けるための取付孔（「２連のがいし連の取付位置」に相当する。）であり、ｂ3 は、ライン側ヨークＹ2 を送電線Ｌ1 〜Ｌ4 に取付けるための取付孔（「送電線への取付位置」に相当する。）である。ｂ3 は、２連のがいし連イ，ロ用の取付孔ｂ1 ，ｂ2 を結ぶ直線の垂直２等分線上に位置している。そして、これら３個の取付孔ｂ1 〜ｂ3 の位置関係は、２連のがいし連イ，ロの取付孔ｂ1 ，ｂ2 間の距離をＡとし、それら取付孔ｂ1 ，ｂ2 を結ぶ直線からその結ぶ直線の垂直２等分線上に位置する取付孔ｂ3 までの距離をＪ2 としたときに、ＡとＪ2 が関係式、０．４≦Ｊ2 ／Ａ≦１．０を満たすように設定されている。
【００１２】
図１（ｂ）は、２連のがいし連イ，ロのうちの一方のがいし連ロが断連事故を起こしたときの両ヨークＹ1 ，Ｙ2 の傾きの状態を示している。このとき、アース側ヨークＹ1 は、同図（ａ）に示されるときよりもｈ1 だけ送電線Ｌ1 〜Ｌ4 側に送り出す結果となり、その送り出した分が少なくなることで断連時の衝撃荷重を緩和し、残存がいし連に与えるダメージを減少させている。上述のｈ1 は、次式によって求められる。
【数１】
0004233275.tif 000002
【００１３】
また、ライン側ヨークＹ2 も、断連時にｈ2 だけ送電線Ｌ1 〜Ｌ4 側に送り出す結果となる。この送出した分だけ断連時の衝撃荷重を緩和し、残存がいし連に与えるダメージを減少させている。上述のｈ2 は、次式によって求められる。
【数２】
0004233275.tif 000003
【００１４】
上述のように、図示の実施の形態においては、アース側ヨークＹ1 とライン側ヨークＹ2 の双方において、それぞれ上記関係式が満たされるように、アース側ヨークＹ1 の取付孔ａ1 ，ａ2 ，ａ3 が設定され、ライン側ヨークＹ2 の取付孔ｂ1 ，ｂ2 ，ｂ3 が設定されるから、２連のがいし連の一方が断連したときの送り出し量ｈ1 、ｈ2 が少なくなることにより、連断時の衝撃荷重が減り、連断時の衝撃力が両ヨークにおいて緩和されるので、緩和効果が大きい。
上述の断連時の送り出し量をより少なくするために、Ｊ1 又はＪ2 をより大きくして、例えば、Ｊ1 ／Ａが２よりも大きな値にしようとすると、又はＪ2 ／Ａが１よりも大きな値にしようとすると、各ヨークＹ1 ，Ｙ2 が大型化し、したがって質量も大きくなり作業性が劣るという新たな問題点が発生してしまう。さらに、上述の値がアース側ヨークＹ1 側で１以下又はライン側ヨークＹ2 側で０．４未満であると、断連時の衝撃力を緩和する作用が小さくなるので採用することができない。
【００１５】
【発明の効果】
本発明によれば、送電線鉄塔側に設けられるアース側ヨーク及び送電線側に設けられるライン側ヨーク間に２連のがいし連を所定の間隔を保って平行にがいし連を設けて構成される２連耐張装置において、前記アース側ヨークにおける前記２連のがいし連の取付位置及び前記送電線鉄塔への取付位置は、それら２連のがいし連の取付位置間の距離をＡとし、それら２連のがいし連の取付位置を結ぶ直線からその結ぶ直線の垂直２等分線上に位置する前記送電線鉄塔への取付位置までの距離をＪ1 としたときに、ＡとＪ1 が関係式、１＜Ｊ1 ／Ａ≦２を満たすように設定し、前記ライン側ヨークにおける前記２連のがいし連の取付位置及び前記送電線への取付位置は、それら２連のがいし連の取付位置間の距離をＡとし、それら２連のがいし連の取付位置を結ぶ直線からその結ぶ直線の垂直２等分線上に位置するその送電線への取付位置までの距離をＪ2 としたときに、ＡとＪ2 が関係式、０．４≦Ｊ2 ／Ａ≦１．０を満たすように設定したので、アース側ヨークとライン側ヨークの双方において、連断時の衝撃力が緩和されるため、大きい緩和効果が得られる。また、アース側ヨークとライン側ヨークの双方において断連時の送り出し量が少なくなるので、同様の緩和効果を得るために、従来技術のようにアース側ヨークのみで断連時の送り出し量を小さくする場合と比べ、ヨークの大型化を抑えることができる。
【図面の簡単な説明】
【図１】  （ａ）は、一実施の形態に係る２連耐張装置の平面図、（ｂ）は、断連時の状態を示す説明図である。
【符号の説明】
Ｙ1         アース側ヨーク
Ｙ2         ライン側ヨーク
イ，ロ      がいし連
Ｌ1 〜Ｌ4   送電線
ａ1 ，ａ2   取付孔(２連のがいし連の取付位置)
ａ3         取付孔(送電線鉄塔への取付位置)
ｂ1 ，ｂ2   取付孔(２連のがいし連の取付位置)
ｂ3         取付孔(送電線への取付位置)
【図１】
0004233275.tif 000004